(57)【要約】【課題】  電源の無駄遣いを抑制できる挿管確認用スコープを得る。【解決手段】  気管チューブ内へ挿入される挿入部を有し、該挿入部先端の対物窓に結像される像を観察する挿管確認用スコープにおいて、挿入部の先端に設けた照度可変の照明手段と、挿入部が気管チューブへの挿入端に達したことを検知する挿入検知手段と、この挿入検知手段が挿入端を検知する前には照度可変照明手段による照度を低照度に保持し、挿入端を検知したときに該照度可変照明手段による照度を高照度に切り替える照明制御手段と、を設けた挿管確認用スコープ。【選択図】  図１
2006136497.tif 000002
【特許請求の範囲】
【請求項１】
気管チューブ内へ挿入される挿入部を有し、該挿入部先端の対物窓に結像される像を観察する挿管確認用スコープにおいて、
上記挿入部の先端に設けた照度可変の照明手段と、上記挿入部が気管チューブへの挿入端に達したことを検知する挿入検知手段と、この挿入検知手段が挿入端を検知する前には上記照度可変照明手段による照度を低照度に保持し、挿入端を検知したときに該照度可変照明手段による照度を高照度に切り替える照明制御手段と、を有することを特徴とする挿管確認用スコープ。
【請求項２】
請求項１記載の挿管確認用スコープにおいて、上記照度可変照明手段は、独立して点灯可能な複数の光源であり、照明制御手段は点灯する光源の数を制御する挿管確認用スコープ。
【請求項３】
請求項２記載の挿管確認用スコープにおいて、上記複数の光源はＬＥＤである挿管確認用スコープ。
【請求項４】
請求項１記載の挿管確認用スコープにおいて、上記照度可変照明手段は、印加電圧の大小により照度が変化する発光体であり、照明制御手段は上記印加電圧を制御する挿管確認用スコープ。
【請求項５】
請求項１ないし４のいずれか１項記載の挿管確認用スコープにおいて、上記挿入部と観察部の間には、気管チューブの外端部に当接して該挿入部の挿入端を規制するストッパが設けられ、上記挿入検知手段は、このストッパに設けられ、気管チューブの外端部に当接したときオンとなる押圧スイッチである挿管確認用スコープ。
【請求項６】
請求項１ないし５のいずれか１項記載の挿管確認用スコープにおいて、該挿管確認用スコープはバッテリ駆動である挿管確認用スコープ。
【発明の詳細な説明】
【技術分野】
【０００１】
本発明は、気管への挿管を確認するためのスコープに関する。
【背景技術】
【０００２】
例えば気道確保の目的で気管内に気管チューブを挿入する際には、該気管チューブの先端が目的部位に到達しているか否かを確認するために気管チューブ内にスコープ（内視鏡）を挿入することが行われている。この挿管確認用スコープは、先端部に対物窓と照明窓を有する挿入部と、この挿入部に連なる観察部とを有し、照明窓からの照明光の存在下で対物窓の像を観察部で観察する。
【特許文献１】登録実用新案第３０４３３３７号公報
【発明の開示】
【発明が解決しようとする課題】
【０００３】
この挿管確認用スコープでは、従来、照明窓の光源をオンオフ制御している。すなわち、一般的には気管チューブを気管に挿入した後、挿入部を該気管チューブに挿入する前に照明光源をオンし、その状態で挿入部を気管チューブ内に挿入している。しかし本発明者によれば、気管チューブに挿入部を完全に挿入する前に照明光源を完全にオンすることは電源の無駄遣いである。挿管確認用スコープは、救急医療の現場で用いられることが多いことから、一般的にバッテリを電源としており、電源を無駄に使うと肝心の場面でバッテリ切れが生じるおそれがある。従来の挿管確認用スコープでは、照明光源として消費パワーの大きい小型ハロゲンランプを用いているため、このおそれが一層強い。
【０００４】
従って本発明は、電源の無駄使いを抑制できる挿管確認用スコープを得ることを目的とする。
【課題を解決するための手段】
【０００５】
本発明は、真に照明を必要とするのは、挿入部を気管チューブ内に完全に挿入したとき（挿入端まで挿入したとき）であり、挿入途中ではそれほどの照明を必要としないという認識の元になされたものである。
【０００６】
すなわち本発明は、気管チューブ内へ挿入される挿入部を有し、該挿入部先端の対物窓に結像される像を観察する挿管確認用スコープにおいて、挿入部の先端に設けた照度可変の照明手段と、挿入部が気管チューブへの挿入端に達したことを検知する挿入検知手段と、この挿入検知手段が挿入端を検知する前には照度可変照明手段による照度を低照度に保持し、挿入端を検知したときに該照度可変照明手段による照度を高照度に切り替える照明制御手段と、を設けたことを特徴としている。
【０００７】
照度可変照明手段は、例えば、独立して点灯可能な複数の光源から構成することができ、照明制御手段は点灯する光源の数を制御して照度を切り替える。光源は、従来スコープと同様に小型ハロゲンランプを採用することも可能であるが、低消費電力のＬＥＤ（特に白色ＬＥＤ）を用いることが好ましい。
【０００８】
あるいは照度可変照明手段は、印加電圧の大小により照度が変化する発光体（ランプ）から構成することも可能である。この場合には、照明制御手段は該発光体に対する印加電圧を制御して照度を切り替える。
【０００９】
挿入部と観察部の間には、気管チューブの外端部に当接して該挿入部の挿入端を規制するストッパを設けるのが普通である。挿入検知手段は、このストッパに設けた、気管チューブの外端部に当接したときオンとなる押圧スイッチから構成することができる。
【００１０】
本発明の挿管確認用スコープは、商用電源で駆動する場合よりもバッテリ駆動の場合により有用である。
【発明の効果】
【００１１】
以上のように本発明の挿管確認用スコープによれば、気管チューブへの挿入途中では低照度の照明を行い、挿入端に達したときに高照度の照明を行うことができ、電源の無駄遣いを抑制できる。
【発明を実施するための最良の形態】
【００１２】
図１は、気管チューブ１０内に、本発明による挿管確認用スコープ２０を挿入した状態を示している。気管チューブ１０は、可撓性を有する柔軟材料からなる中空円筒形状をなし、その気管チューブ本体１１の一端部（挿入方向後部）側に飲み込みを防止するストッパフランジ１２を備え、挿入方向後端部（外端部）がスコープ挿入規制端面１３を構成している。
【００１３】
この気管チューブ１０は、患者に合わせて、長さが異なる複数が用意されている。これらは、例えば、大人用、子供用などがあり、数種類ある気管チューブ１０のうち、患者に適したものが選択して使用される。
【００１４】
以上の気管チューブ１０に挿入される挿管確認用スコープ２０は、気管チューブ１０との間に呼吸のための十分な隙間が生じる径を有する（気管チューブ１０の内径に対して十分小径である）。
【００１５】
挿管確認用スコープ２０自体は、周知の携帯用内視鏡であり、操作者によって把持操作される操作部２１と、操作部２１から延びる挿入部２２とを有し、操作部２１には、湾曲操作部２３と、電源装着口２４と、接眼部２５とが設けられている。電源装着口２４には、光源制御ユニット（バッテリパック）３０が自在に着脱される。光源制御ユニット３０には、ドライブ回路（照明制御手段）３１及びそのバッテリ３２が内蔵されており、外部にはメインスイッチ（不図示）が設けられている。ドライブ回路３１には、照度切替スイッチ２９が接続されている。照度切替スイッチ２９は、低照度回路端２９ａと高照度回路端２９ｂを有している。
【００１６】
挿入部２２は、周知のように、操作部２１側から湾曲部と先端部を有し、湾曲部は、湾曲操作部２３の操作に応じて上下及び左右方向に湾曲される。先端部の先端面２２ａには、３つの照明窓２６と１つの対物窓２７が設けられており、対物窓２７による観察対象の像はイメージガイド４０を介して接眼部２５で観察される。各照明窓２６の後方（背後）にはそれぞれ、光源である独立して点灯するＬＥＤ（照度可変照明手段）２８がそれぞれ設けられている。各ＬＥＤ２８は、ＬＥＤケーブル４１を介してドライブ回路３１に接続している。点灯するＬＥＤ２８の数はドライブ回路３１によって制御する。なお、ＬＥＤ２８の数は、複数であれば、図示例に限らず任意の数とすることができる。
【００１７】
この挿管確認用スコープ２０には、挿入部２２と観察部２５の間に位置させて、気管チューブ１０のスコープ挿入規制端面１３に当接して挿入部２２の挿入端を規制するストッパリング（ストッパ）５０が設けられている。図２は、このストッパリング５０の詳細を示している。ストッパリング５０は、挿入部２２と同軸の筒状をなしており、その延長方向に移動可能である。ストッパリング５０は、径方向に螺合する固定ねじ５２を有し、この固定ねじ５２を緩めると挿入部２２に対する移動が自由となり、締めると移動が規制される。このストッパリング５０には、その前側端面に、気管チューブ１０のスコープ挿入規制端面１３によって押圧される押圧スイッチ（挿入検知手段）５１が突出している。
【００１８】
以上の挿管確認用スコープ２０は、使用に先立ち、気管チューブ１０の長さに合わせてストッパリング５０の位置決めを行う。つまり、挿入部２２先端が気管チューブ１０の内側先端（挿入端）に達するときに、気管チューブ１０のスコープ挿入規制端面１３がストッパリング５０の押圧スイッチ５１に当接して挿入部２２の挿入端を規制するようにストッパリング５０の位置を調整する。
【００１９】
このストッパリング５０の位置調整が済んだ状態で、照明制御ユニット３０を電源装着口２４に装着し、照明制御ユニット３０のメインスイッチをオン状態に操作する。
【００２０】
この状態では、図３に示すように、照度切替スイッチ２９は低照度回路端２９ａ側に位置して、ＬＥＤ２８が１つだけ点灯する。すなわち、押圧スイッチ５１が押されていない状態（挿入端を検知していない状態）では、ＬＥＤ２８による照度は低照度に保持している。低照度は、気管チューブ１０内に挿入部２２を挿入するのに支障ない程度の照度である。操作者は、観察部２５を覗きながら気管チューブ１０内に挿入部２２を挿入する。
【００２１】
挿入部２２先端が気管チューブ１０の挿入端に到達すると、ストッパリング５０の押圧スイッチ５１は気管チューブ１０のスコープ挿入規制端面１３によって押圧され、オンとなる。そうすると、ドライブ回路３３は、照度切替スイッチ２９を高照度回路端２９ｂ側に切り替え、全てのＬＥＤ２８がオン状態となる。すなわち、３つのＬＥＤ２８は全て点灯して高照度に切り替わる。操作者は、気管チューブ１０が気管内に挿管されていることを確認するために十分な照度を得ることができる。
【００２２】
以上のように、本発明の挿管確認用スコープ２０は、挿管の確認時のみ高照度とするため、バッテリ３２の消費を低減できる。そのため、商用電源で駆動する場合よりも、例えば、携帯用スコープのようにバッテリ駆動の場合に有効である。
【００２３】
本発明の挿管確認用スコープによる別の実施形態では、３つのＬＥＤの代わりに、印加電圧の大小により照度が変化する発光体（ランプ）を用いることができる。この態様では、ドライブ回路は、点灯するＬＥＤの数を制御する代わりに、発光体に対する印加電圧を制御する。その他の構成、作用、効果は、第一の実施形態と同様である。
【図面の簡単な説明】
【００２４】
【図１】本発明に係る挿管確認用スコープを気管チューブ内に挿入した状態を示す正面図である。
【図２】本発明に係る挿管確認用スコープのストッパリング部分を示す拡大図である。
【図３】本発明に係る挿管確認用スコープの照度可変照明手段と照明制御手段の回路図である。
【図４】本発明に係る挿管確認用スコープの挿入部の先端面を示す図である。
【符号の説明】
【００２５】
１０  気管チューブ
１１  気管チューブ本体
１２  ストッパフランジ
１３  スコープ挿入規制端面
２０  挿管確認用スコープ
２１  操作部
２２  挿入部
２２ａ  先端面
２３  湾曲操作部
２４  電源装着口
２５  観察部
２６  照明窓
２７  観察窓
２８  ＬＥＤ（照度可変照明手段）
２９  照度切替スイッチ
２９ａ  低照度回路端
２９ｂ  高照度回路端
３０  光源制御ユニット
３１  ドライブ回路（照明制御手段）
３２  バッテリ
４０  イメージガイド
４１  ＬＥＤケーブル
５０  ストッパリング
５１  押圧スイッチ（挿入検知手段）
５２  固定ねじ
【図１】
2006136497.tif 000003
【図２】
2006136497.tif 000004
【図３】
2006136497.tif 000005
【図４】
2006136497.tif 000006